【手続補正書】
【提出日】平成23年7月8日(2011.7.8)
【手続補正１】
【補正対象書類名】明細書
【補正対象項目名】０００２
【補正方法】変更
【補正の内容】
【０００２】
空気調和機の室内機（室内ユニットに同じ）の吹出口には、冷却または加熱された空気の吹き出し方向を調整する風向調整装置が設置されている。かかる風向調整装置は、古くは、湾曲自在な軟質部を有する風向板（垂直フラップに同じ）を備え、軟質部を湾曲させることによって吹き出し方向を調整するものが開示されている（例えば、特許文献１参照）。
また、互いに平行に配置された駆動アームおよび従動アームと、駆動アームおよび従動アームに両端部が回動自在に接続された第一列の複数枚の風向板と、駆動アームおよび従動アームに両端部が回動自在に接続された第二列の複数枚の風向板と、を有し、駆動アーム、従動アームおよび第一列の複数枚の風向板によって形成される平行四辺形の傾斜角（底辺と斜辺とがなす角度）と、駆動アーム、従動アームおよび第二列の複数枚の風向板によって形成される平行四辺形の傾斜角とを相違させることによって、吹き出し方向を調整するものが開示されている（例えば、特許文献２参照）。
【手続補正２】
【補正対象書類名】明細書
【補正対象項目名】０００６
【補正方法】変更
【補正の内容】
【０００６】
本発明に係る風向調整装置は、基台と、
該基台に基準回転中心において回転自在に設置された第１風向板と、
該第１風向板に連結回転中心において回転自在に設置された第２風向板と、
前記第１風向板が第１回転中心において、且つ、前記第２風向板が第２回転中心において、それぞれ回転自在に設置された移動部材と、
該移動部材を前記基台に対して相対移動させる駆動手段と、
を有し、
前記移動部材が相対移動する量に応じて、前記基準回転中心と前記連結回転中心とを結ぶ第１仮想線と、前記連結回転中心と前記第２回転中心とを結ぶ第２仮想線と、がなす角度が変動することを特徴とする。
【手続補正３】
【補正対象書類名】明細書
【補正対象項目名】０００７
【補正方法】変更
【補正の内容】
【０００７】
本発明に係る風向調整装置は、第１風向板が移動部材の移動によって基準回転中心を支点に、第１回転中心を力点にして回転され、連結回転中心が円弧状の軌跡を描いて移動する。同様に、第２風向板は移動部材の移動によって連結回転中心を支点に、第２回転中心を力点にして回転される。
このとき、第１風向板と第２風向板とが共に連結回転中心において回転自在に連結されているため、第１風向板と第２風向板とは、あたかも一枚の板であるかのように挙動する。特に、正面方向に吹き出す際、第１風向板と第２風向板とが重なって１枚の平板状を呈するから、空気は第１風向板または第２風向板の一方の端面に衝突するだけであって、従来の千鳥配置の場合のように、第１風向板および第２風向板の双方の端面に衝突するようなことがない。したがって、空気流は滑らかとなって、通風抵抗の上昇が抑えられ、省エネ効果が得られる。
なお、前記では、第２風向板は、連結回転中心を支点にして第２回転中心を力点にして回転されるとしているが、連結回転中心を力点にして第２回転中心を支点にして回転されるとみなしてもよい。
【手続補正４】
【補正対象書類名】明細書
【補正対象項目名】００１０
【補正方法】変更
【補正の内容】
【００１０】
本体１１０は、室内の壁等に固定される基台１１４（以下、基台１１４側を「後面」と称す）と、基台１１４に固定される筐体１１５と、筐体１１５の前面に着脱自在かつ回動自在に設置される前面意匠パネル１１６と、を具備している。筐体１１５の上面には吸引口１１１が形成され、筐体１１５の下面（上面の一部を含む）には吹出口１１２が形成され、基台１１４の一部が風路１１３の一部（後面側）を形成している。
また、吹出口１１２には、前面上下風向板３０１と底面上下風向板３０２とを具備する上下風向調整装置３００が設置されている。
【手続補正５】
【補正対象書類名】明細書
【補正対象項目名】００１６
【補正方法】変更
【補正の内容】
【００１６】
（第１部材）
第１部材１０は、基準軸１１と、基準軸１１の中心線（以下、「基準回転中心Ａ」と称す）を含む平面で、板状の第１風向板１２と、を有している。第１風向板１２には、一方の側縁１３から基準回転中心Ａに向かって陥入する切欠部１４が形成されている。
また、切欠部１４の下端縁１４ａで一方の側縁１３の近くに上端縁１４ｂに向かって突出して形成され、基準回転中心Ａと平行な中心線（以下、「連結回転中心Ｂ」と称す）を具備する下連結軸１５ａと、切欠部１４の上端縁１４ｂで一方の側縁１３の近くに下端縁１４ａに向かって突出して形成され、下連結軸と同一の中心線（連結回転中心Ｂ）を具備する上連結軸１５ｂが設けられている。なお、下連結軸１５ａおよび上連結軸１５ｂをまとめて「連結軸１５」と称す場合がある。
【手続補正６】
【補正対象書類名】明細書
【補正対象項目名】００１８
【補正方法】変更
【補正の内容】
【００１８】
（第２部材）
第２部材２０は、下連結軸１５ａおよび上連結軸１５ｂを回転自在に支持する同一の中心線（組立状態において連結回転中心Ｂに一致する）を具備する下連結軸受２５ａおよび上連結軸受２５ｂと、下連結軸受２５ａおよび上連結軸受２５ｂの中心線を含む平面で、下連結軸受２５ａおよび上連結軸受２５ｂの側面の一方側に突出して形成された第２風向板２２とを有している。なお、下連結軸受２５ａおよび上連結軸受２５ｂをまとめて「連結軸受２５」と称す場合がある。
また、下連結軸受２５ａおよび上連結軸受２５ｂの側面の他方側（第２風向板２２とは反対の方向）に突出する突出部２４が設けられ、突出部２４の下面には第２移動軸２６（以下、第２移動軸２６の軸心を「第２回転中心Ｄ」と称す）が、突出部２４の上面には当接突起２７が、それぞれ設けられている。
【手続補正７】
【補正対象書類名】明細書
【補正対象項目名】００３５
【補正方法】変更
【補正の内容】
【００３５】
１０；第１部材、１１；基準軸、１１ａ；基準軸フランジ、１２；第１風向板、１３；側縁、１４；切欠部、１４ａ；下端縁、１４ｂ；上端縁、１５ａ；下連結軸、１５ｂ；上連結軸、１５ｃ；下連結座、１５ｄ；上連結座、１６；第１移動軸、１６ｃ；第１移動座、２０；第２部材、２２；第２風向板、２３；側縁、２４；突出部、２５ａ；下連結軸受、２５ｂ；上連結軸受、２６；第２移動軸、２７；当接突起、３０；移動部材、３１；第１移動軸受、３１ａ；移動溝、３２；第２移動軸受、３３；移動本体部、３４；移動腕部、４０；基台、４１；支持面、４３；回転係止部、４４；固定係止部、５０；駆動手段、５１；連結棒、５２；モーター連結部材、５２ａ；モーター接続部、５２ｂ；モーター連結アーム、５３；モーター、１００；室内機、１１０；本体、１１１；吸引口、１１２；吹出口、１１３；風路、１１４；基台、１１５；筐体、１１６；前面意匠パネル、１１７；電気品箱、１２０；送風手段、１３０；熱交換手段、１３１；伝熱管、１３２；放熱フィン、１４０；ドレンパンユニット、１４１；ドレンパン上面、１４２；ドレンパン下面、１５０；フィルター自動清掃装置ユニット、１５１；フィルター、１５２；ダストボックス、１６１；表示装置、１６２；赤外線センサー、２００；風向調整装置、３００；上下風向調整装置、３０１；前面上下風向板、３０２；底面上下風向板、Ａ；基準回転中心、Ｂ；連結回転中心、Ｃ；第１回転中心、Ｄ；第２回転中心、Ｌ１；第１仮想線、Ｌ２；第２仮想線、φ；第１傾斜角度、θ；第２傾斜角度。
【手続補正８】
【補正対象書類名】特許請求の範囲
【補正対象項目名】全文
【補正方法】変更
【補正の内容】
【特許請求の範囲】
【請求項１】
基台と、  
該基台に基準回転中心において回転自在に設置された第１風向板と、
該第１風向板に連結回転中心において回転自在に設置された第２風向板と、
前記第１風向板が第１回転中心において、且つ、前記第２風向板が第２回転中心において、それぞれ回転自在に設置された移動部材と、
該移動部材を前記基台に対して相対移動させる駆動手段と、
を有し、
前記移動部材が相対移動する量に応じて、前記基準回転中心と前記連結回転中心とを結ぶ第１仮想線と、前記連結回転中心と前記第２回転中心とを結ぶ第２仮想線と、がなす角度が変動することを特徴とする風向調整装置。
【請求項２】
基準軸と、該基準軸の中心線を含む平面で、一方の側縁から前記中心線に向かって陥入する切欠部を具備する第１風向板と、前記切欠部で前記一方の側縁の近くに突出して形成され、前記基準軸の中心線と平行な中心線を具備する一対の連結軸と、前記切欠部に突出して形成され、前記基準軸と前記連結軸との間に配置された第１移動軸と、を有する第１部材と、
前記基準軸を回転自在に支持する基台と、
前記一対の連結軸を回転自在に支持する一対の連結軸受と、該連結軸受の中心線を含む平面で、前記連結軸受の側面の一方側に突出して形成された第２風向板と、前記連結軸受の側面の他方側に突出して形成された突出部と、該突出部に形成された第２移動軸と、を有する第２部材と、
前記基台に対して相対移動自在で、前記第１移動軸を回転自在に支持する第１移動軸受と、前記第２移動軸を回転自在に支持する第２移動軸受と、を有する移動部材と、
前記移動部材を前記基台に対して相対移動させる駆動手段と、
を有し、
前記第１移動軸受と前記第２移動軸受とが、前記移動部材の前記基台に対する相対移動の方向に垂直方向で所定の距離だけ離れていることを特徴とする風向調整装置。
【請求項３】
前記第２移動軸受が、前記移動部材の前記基台に対する相対移動の方向に垂直方向に延長された長孔であることを特徴とする請求項２記載の風向調整装置。
【請求項４】
前記突出部に当接突起が形成され、前記第１風向板と前記第２風向板とが略同一面に位置するとき、前記当接突起が前記切欠部に当接すること特徴とする請求項２または３記載の風向調整装置。
【請求項５】
吸引口および吹出口を具備する本体と、
前記吸引口から前記吹出口に至る風路を形成する送風手段と、
前記風路内に配置された熱交換手段と、
前記風路内に配置された請求項１乃至４の何れかに記載の風向調整装置と、
を有することを特徴とする空気調和機の室内機。